【事件の表示】
　特許第２９２７６３３号「高炉送風湿分制御方法及び装置」の請求項１ないし４に係る特許に対する特許異議の申立てについて、次のとおり決定する。
【結　論】
　訂正を認める。
　特許第２９２７６３３号の請求項１ないし２に係る特許を維持する。
【理　由】
（１）手続の経緯
　特許第２９２７６３３号の請求項１〜４に係る発明は、平成５年３月１２日に特許出願され、平成１１年５月１４日にその特許の設定登録がなされ、その後、住友金属工業株式会社より特許異議の申立てがなされ、平成１２年７月１３日付けで取消理由通知がなされ、その指定期間内の平成１２年１０月２日付けで訂正請求がされたものである。
　
（２）訂正の適否についての判断
ア．訂正事項及び訂正明細書の請求項１、２に係る発明
　本件訂正請求は、以下の訂正事項ａ、ｂをその内容とするものである。
訂正事項ａ：特許明細書の請求項１、３に、
「【請求項１】　送風管に水分を注入し加湿した空気を熱風炉を介して高炉に供給する設備の高炉送風湿分制御方法において：加湿後の目標湿分，加湿前の空気の湿分，及び空気の送風量に基づいて、注入する水分量の目標値を決定し、該目標値に応じて注入する水分の流量を調整する、ことを特徴とする高炉送風湿分制御方法。」、
【請求項３】　送風管，及び該送風管に水分を注入する水分注入管を含み、加湿した空気を熱風炉を介して高炉に供給する設備の高炉送風湿分制御装置において：前記送風管上の水分注入位置よりも上流側に配置され、加湿前の湿分を検出する、加湿前湿分検出手段；前記送風管における流量を検出する送風流量検出手段；前記水分注入管における流量を調整する水分流量調整手段；及び決定された加湿後の目標湿分，前記加湿前湿分検出手段が検出した加湿前の湿分，及び前記送風流量検出手段が検出した送風流量に基づいて、注入する水分量の目標値を決定し、該目標値に応じて前記水分流量調整手段を制御する、流量制御手段；を設けたことを特徴とする高炉送風湿分制御装置。」
とあるのを削除するとともに、同請求項２、４に、
「【請求項２】　加湿後の空気の湿分を検出し、加湿後の目標湿分と検出された加湿後の空気の湿分との差分に応じて、注入する水分の流量を補償する、前記請求項１記載の高炉送風湿分制御方法。」、
「【請求項４】前記送風管上の水分注入位置よりも下流側に配置され、加湿後の湿分を検出する、加湿後湿分検出手段；及び、加湿後の目標湿分と加湿後湿分検出手段が検出した加湿後の空気の湿分との差分に応じて、前記水分流量調整手段の制御量を補償する、補償制御手段；を備える、前記請求項３記載の高炉送風湿分制御装置。」
とあるのを、それぞれ、
「【請求項１】　送風管に水分を注入し加湿した空気を熱風炉を介して高炉に供給する設備の高炉送風湿分制御方法において：
　加湿後の目標湿分，加湿前の空気湿分，及び空気の送風量に基づいて、注入する水分量目標値を決定するとともに、加湿後の空気湿分を検出し、加湿後の目標湿分と検出された加湿後の空気の湿分との差分をＰＩＤ制御装置に入力し、該ＰＩＤ制御装置の出力を検出した送風流量と基準流量に基づき補正し、補正した値と前記注入する水分量目標値とを加算し、加算した値に応じて注入する水分の流量を調整する、ことを特徴とする高炉送風湿分制御方法。」、
「【請求項２】　送風管，及び該送風管に水分を注入する水分注入管を含み、加湿した空気を熱風炉を介して高炉に供給する設備の高炉送風湿分制御装置において：
　前記送風管上の水分注入位置よりも上流側に配置され、加湿前の湿分を検出する、加湿前湿分検出手段；
　前記送風管における流量を検出する送風流量検出手段；
　予め決定された加湿後の目標湿分，前記加湿前湿分検出手段が検出した加湿前の湿分，及び前記送風流量検出手段が検出した送風流量に基づいて、注入する水分量の目標値を決定し出力するフィードフォーワード制御系；
　前記送風管上の水分注入位置よりも下流側に配置され、加湿後の湿分を検出する、加湿後湿分検出手段；
　予め決定された加湿後の目標湿分と加湿後湿分検出手段が検出した加湿後の空気の湿分との差分に応じてＰＩＤ演算を行いその結果を出力するフィードバック制御系；及び
　前記フィードバック制御系の出力を、検出した送風流量と基準流量に基づき補正する送風流量補償手段；を設けるとともに、
　前記フィードフォワード制御系の出力を、送風流量補償手段により補正したフィードバック制御系の出力とを加算して出力する加算器を設け、
　前記加算器の出力を、前記水分注入管における流量を調整する水分流量調整手段に設定出力するようにした、ことを特徴とする高炉送風湿分制御装置。」
と訂正する。
訂正事項ｂ：特許明細書の段落００１０〜１３に
「【００１０】
【課題を解決するための手段】上記課題を解決するため、本発明では、送風管（１）に水分を注入し加湿した空気を熱風炉（Ｈ１〜Ｈ４）を介して高炉に供給する設備の高炉送風湿分制御方法において：加湿後の目標湿分（ＳＶ），加湿前の空気の湿分（ＰＶ１），及び空気の送風量（ＰＶ３）に基づいて、注入する水分量の目標値（ＳＶ２）を決定し、該目標値に応じて注入する水分の流量を調整する。
【００１１】また好ましい態様では、更に、加湿後の空気の湿分（ＰＶ２）を検出し、加湿後の目標湿分（ＳＶ）と検出された加湿後の空気の湿分（ＰＶ２）との差分に応じて、注入する水分の流量を補償する。
【００１２】また本発明では、送風管（１），及び該送風管に水分を注入する水分注入管（２）を含み、加湿した空気を熱風炉（Ｈ１〜Ｈ４）を介して高炉に供給する設備の高炉送風湿分制御装置において：前記送風管上の水分注入位置よりも上流側に配置され、加湿前の湿分を検出する、加湿前湿分検出手段（５）；前記送風管における流量を検出する送風流量検出手段（６）；前記水分注入管における流量を調整する水分流量調整手段（８）；及び決定された加湿後の目標湿分（ＳＶ），前記加湿前湿分検出手段が検出した加湿前の湿分（ＰＶ１），及び前記送風流量検出手段が検出した送風流量（ＰＶ３）に基づいて、注入する水分量の目標値（ＳＶ２）を決定し、該目標値に応じて前記水分流量調整手段を制御する、流量制御手段（１０）；を設ける。
【００１３】また好ましい態様では、前記送風管上の水分注入位置よりも下流側に配置され、加湿後の湿分を検出する、加湿後湿分検出手段（９）；及び、加湿後の目標湿分（ＳＶ）と加湿後湿分検出手段が検出した加湿後の空気の湿分（ＰＶ２）との差分に応じて、前記水分流量調整手段の制御量（ＭＶ）を補償する、補償制御手段（２０）；を更に備える。」
とあるのを、
「【００１０】
【課題を解決するための手段】
　（１）上記課題を解決するため、本発明では、送風管（１）に水分を注入し加湿した空気を熱風炉（Ｈ１〜Ｈ４）を介して高炉に供給する設備の高炉送風湿分制御方法において：
　加湿後の目標湿分（ＳＶ），加湿前の空気湿分（ＰＶ１），及び空気の送風量（ＰＶ３）に基づいて、注入する水分量目標値（ＳＶ２）を決定する。
【００１１】
　更に、加湿後の空気の湿分（ＰＶ２）を検出し、加湿後の目標湿分（ＳＶ）と検出された加湿後の空気の湿分（ＰＶ２）との差分をＰＩＤ制御装置（２３）に入力し、該ＰＩＤ制御装置（２３）の出力を検出した送風流量（ＰＶ３）と基準流量に基づき補正し、補正した値（ＳＶ３）と前記注入する水分量目標値（ＳＶ２）とを加算し、加算した値（ＳＶ４）に応じて、注入する水分の流量を補償する。
【００１２】
　（２）本発明では、送風管（１），及び該送風管に水分を注入する水分注入管（２）を含み、加湿した空気を熱風炉（Ｈ１〜Ｈ４）を介して高炉に供給する設備の高炉送風湿分制御装置において：
　前記送風管上の水分注入位置よりも上流側に配置され、加湿前の湿分を検出する、加湿前湿分検出手段（５）；前記送風管における流量を検出する送風流量検出手段（６）；及び
　前記水分注入管における流量を調整する水分流量調整手段（８）；
　予めび決定された加湿後の目標湿分（ＳＶ），前記加湿前湿分検出手段が検出した加湿前の湿分（ＰＶ１），及び前記送風流量検出手段が検出した送風流量（ＰＶ３）に基づいて、注入する水分量の目標値（ＳＶ２）を決定し出力するフィードフォワード制御系（１０）；
を備える。
【００１３】
　本発明の装置は更に、前記送風管上の水分注入位置よりも下流側に配置され、加湿後の湿分を検出する、加湿後湿分検出手段（９）；
　予め加湿後の目標湿分（ＳＶ）と加湿後湿分検出手段が検出した加湿後の空気の湿分（ＰＶ２）との差分に応じてＰＩＤ演算を行いその結果を出力するフィードバック制御系（２０）；及び、
　前記フィードバック制御系の出力を、検出した送風流量と基準流量に基づき補正する送風流量補償手段（２５，２６）；を設けるとともに、
　前記フィードフォワード制御系（１０）の出力（ＳＶ２）を、送風流量補償手段（２５，２６）により補正したフィードバック制御系（２０）の出力（ＳＶ３）とを加算して出力する加算器（３１）；を設け、
　前記加算器（３１）の出力を、前記水分注入管（２）における流量を調整する水分流量調整手段（８）に設定出力するようにした、ことを特徴とする。」
と訂正する。
　
イ．訂正の目的の適否、新規事項の追加の有無及び拡張・変更の存否
　訂正事項ａは、特許明細書の請求項１，３を削除し、請求項２，４を独立形式と変更するとともに、フィードバック制御系の構成を特許明細書の実施例のものに限定したに過ぎないから、特許請求の範囲の減縮及び明りょうでない記載の釈明に相当し、新規事項の追加に該当せず、また実質上特許請求の範囲を拡張又は変更するものでもない。
　また、訂正事項ｂは、発明の詳細な説明の記載を特許請求の範囲の記載に整合させたに過ぎず、明りょうでない記載の釈明に相当し、新規事項の追加に該当せず、また実質上特許請求の範囲を拡張又は変更するものでもない。
　
ウ．独立特許要件の判断
（刊行物記載の発明について）
　刊行物１（実願昭５６−７０５４６号（実開昭５７−１８５７４３号）のマイクロフィルム）には、
「送風機と熱風炉の間に送風本管に、バルブを有する水分吹込管路を連結すると共に、送風機の入側に除湿機を設けた調湿装置において、前記送風機と水分吹込管路の間の送風本管に、送風中の湿分量を測定する湿分計及び送風量を測定する流量計を設け、該湿分計からの測定湿分量と、設定器からの送風目標湿分量との偏差を求め、この偏差湿分量と、前記流量計からの測定送風量とから水分添加必要量を求め、これに応じて上記バルブの開度調節する装置を設けたことを特徴とする高炉送風調湿装置。」（実用新案登録請求の範囲（以下、「摘示１」という。））と記載され、
「本考案は高炉の送風系における送風中の湿分を、高炉の要求湿分に精度よく調節するための高炉送風調湿装置に関するものである。」が記載され（明細書第２頁１７〜１９行（以下、「摘示２」という。））、
「高炉においては炉内の状況、羽口より吹込む重油量等の変化により、高炉を安定操業するために必要な送風中の湿分量が異なる。このため送風中の湿分を除湿装置で除去した後、水分吹込管から水蒸気を吹込んで加湿し、高炉が要求する湿分量に調湿して、熱風炉を通して高炉に吹込むことが一般的に行われている。」が記載され（第２頁第４〜１０行（以下、「摘示３」という。））、
「図中、・・・４は送風本管２と、熱風炉ＨＳ１〜ＨＳ４との間に連結した水分吹込管路としての蒸気管であり、蒸気調節用バルブ５と流量計６を介設している。
　７は、蒸気管４と送風機ＢＬとの間の送風本管２に設けた塩化リチューム式湿分計（以下単に湿分計と称す）８、流量計１１からの各測定値及び設定器１２からの高炉ＢＦの要求湿分量Ｓ４を入力して、高炉ＢＦが要求する湿分量Ｓ４になるごとく添加蒸気量を演算して、バルブ動作機構５ａにバルブ開度調節信号Ｓ７を発する機能を有し、具体的には送風本管２に設けた流量計１１・・・からの測定値Ｓ１・・・により、送風本管２中を流れる単位時間当たりの標準状態の送風量Ｑ１を補正演算する演算器７ａと、設定器１２からの設定湿分値Ｓ４（高炉が必要とする送風中湿分量）と前記演算器７ａからの送風量Ｑ１と、送風本管２に設けた湿分計８からの測定値Ｓ５を入力して、単位時間当たりの送風中の湿分量偏差、つまり単位時間当たりの蒸気添加量Ｑ２を［（Ｓ４−Ｓ５）×Ｑ１］で演算する演算器７ｂと、演算器７ｂからの蒸気添加量Ｑ２と、蒸気管４に設けた流量計６からの蒸気流量Ｓ７を入力し、バルブ５の開度調節量を演算して、その調節信号Ｓ６をバルブ駆動機構５ａに出力する調節器７ｃより構成している。」が記載され（第４頁第２０行〜第６頁第７行（以下、「摘示４」という。））、
「熱風炉ＨＳと蒸気管４との間の送風本管２に湿分計１５を設けると共に、設定器１２と該湿分計１５との間に比較器１３を設け、該比較器１３で、湿分計１５で測定した湿分値Ｓ８と、設定器１２からの設定湿分値Ｓ４とを比較して、この偏差が許容範囲外になると、警報器１３ａに入力して警報を発するごとくしてもよく、又は前記比較器１３からの偏差値を演算器７ｂに入力し、これにもとづいて、演算器７ｂは次回の演算補正を行うごとく構成してもよい。」（第７頁第３〜１２行（以下、「摘示５」という。））と記載され、
「熱風炉ＨＳの切替え前に次期通風の一基が充圧工程に入る・・・この流量を流量計１１で測定する。この測定流量Ｓ３を・・・熱風炉の切替、その他の熱風炉ＨＳの操業時における温度圧力変化に伴う測定流量誤差を補正し、この補正送風量Ｑ１と、湿分計８からの測定湿分量Ｓ５と、設定器１２からの高炉ＢＦが必要とする設定（目標）湿分量Ｓ４とで、［（Ｓ４−Ｓ５）×Ｑ１］により、送風への添加必要蒸気量Ｑ２を演算し、その蒸気量Ｑ２となるごとく、バルブ駆動機構５ａに、バルブ５の開度とその動作を指令し、・・・短時間にして高炉が必要とする送風中の湿分量に調整することが出来る。」が記載され（第７頁第１８行〜第８頁第１３行（以下、「摘示６」という。））と記載されている。
　したがって、摘示１〜６からみて、刊行物１には、「送風機と熱風炉の間に送風本管に、バルブを有する水分吹込管路を連結すると共に、送風機の入側に除湿機を設けた調湿装置において、前記送風機と水分吹込管路の間の送風本管に、送風中の湿分量を測定する湿分計及び送風量を測定する流量計を設け、該湿分計からの測定湿分量と、設定器からの送風目標湿分量との偏差を求め、この偏差湿分量と、前記流量計からの測定送風量とから水分添加必要量を求め、これに応じて上記バルブの開度調節する装置を設け、さらに、熱風炉と蒸気管との間の送風本管に湿分計を設けると共に、設定器と該湿分計との間に比較器を設け、該比較器で、湿分計で測定した湿分値と、設定器からの設定湿分値とを比較して、この偏差が許容範囲外になると、警報器に入力して警報を発する、乃至前記比較器からの偏差値を演算器に入力し、これにもとづいて、演算器は次回の演算補正を行うごとく構成した高炉送風調湿装置。」が記載されているものと認められる。
　
（対比・判断）
　まず、訂正明細書の請求項２に係る発明と刊行物１に記載された発明とを対比する。
　ここで、刊行物１に記載された発明の「送風本管」、「水分吹込管路」、「（蒸気管と送風機との間の送風本管に設けた）湿分計」、「流量計」、「該湿分計からの測定湿分量」、「送風目標湿分量」、「（送風機と水分吹込管路の間の送風本管に、送風中の湿分量を測定する）湿分計」及び「バルブの開度を調節する装置」は、訂正明細書の請求項２に係る発明の「送風管」、「水分注入管」、「加湿前湿分検出手段」、「送風流量検出手段」、「加湿前の湿分」、「予め決定された加湿後の目標湿分」、「加湿後湿分検出手段」及び「水分流量調節手段」にそれぞれ相当する。
　してみると、刊行物１に記載された発明の「前記送風機と水分吹込管路の間の送風本管に、送風中の湿分量を測定する湿分計及び送風量を測定する流量計を設け、該湿分計からの測定湿分量と、設定器からの送風目標湿分量との偏差を求め、この偏差湿分量と、前記流量計からの測定送風量とから水分添加必要量を求め」ることは、訂正明細書の請求項２に係る発明の「前記送風管上の水分注入位置よりも上流側に配置され、加湿前の湿分を検出する、加湿前湿分検出手段；　前記送風管における流量を検出する送風流量検出手段；　予め決定された加湿後の目標湿分，前記加湿前湿分検出手段が検出した加湿前の湿分，及び前記送風流量検出手段が検出した送風流量に基づいて、注入する水分量の目標値を決定し出力するフィードフォーワード制御系；」に相当するものと認められる。
　よって、両者は、「送風管，及び該送風管に水分を注入する水分注入管を含み、加湿した空気を熱風炉を介して高炉に供給する設備の高炉送風湿分制御装置において：　前記送風管上の水分注入位置よりも上流側に配置され、加湿前の湿分を検出する、加湿前湿分検出手段；　前記送風管における流量を検出する送風流量検出手段；　予め決定された加湿後の目標湿分，前記加湿前湿分検出手段が検出した加湿前の湿分，及び前記送風流量検出手段が検出した送風流量に基づいて、注入する水分量の目標値を決定し出力するフィードフォーワード制御系；　前記送風管上の水分注入位置よりも下流側に配置され、加湿後の湿分を検出する、加湿後湿分検出手段；」を設けた、「高炉送風湿分制御装置」である点で、一致する。
　一方、訂正明細書の請求項２に係る発明では、「予め決定された加湿後の目標湿分と加湿後湿分検出手段が検出した加湿後の空気の湿分との差分に応じてＰＩＤ演算を行いその結果を出力するフィードバック制御系；及び　前記フィードバック制御系の出力を、検出した送風流量と基準流量に基づき補正する送風流量補償手段；を設けるとともに、　前記フィードフォワード制御系の出力を、送風流量補償手段により補正したフィードバック制御系の出力とを加算して出力する加算器を設け、　前記加算器の出力を、前記水分注入管における流量を調整する水分流量調整手段に設定出力するようにした」のに対し、刊行物１に記載された発明では、「偏差湿分量と、前記流量計からの測定送風量とから水分添加必要量を求め、これに応じて上記バルブの開度調節する装置を設け、さらに、熱風炉と蒸気管との間の送風本管に湿分計を設けると共に、設定器と該湿分計との間に比較器を設け、該比較器で、湿分計で測定した湿分値と、設定器からの設定湿分値とを比較して、この偏差が許容範囲外になると、警報器に入力して警報を発する、乃至前記比較器からの偏差値を演算器に入力し、これにもとづいて、演算器は次回の演算補正を行うごとく構成した」点で相違する。
　この相違点について検討する。
　刊行物１に記載された発明は、摘示５，６のとおり、ある時点における充圧工程中、バルブの開度調節に直接影響するのは、フィードフォワード制御系の出力であるところの「水分添加必要量」のみであって、フィードバック制御系の入力である湿分計の検出値からは、警報を発するといった結果を招いたり、次回の充圧工程の演算補正を行うといったように間接的に影響するものに過ぎず、訂正明細書の請求項２に記載された発明のフィードフォワード系のように、当該充圧工程における水分流量調整手段の開度を、逐次・直接的に補正するものとは、まったく異なる技術思想に基づく制御であると認められる。
　また、フィードフォワード制御とフィードバック制御とを寄せ集めること自体は、プロセス制御の手法として普通のものであるとしても、訂正明細書の請求項２に係る発明は、「前記フィードバック制御系の出力を、検出した送風流量と基準流量に基づき補正する送風流量補償手段」を備え、フィードバック制御系の出力自体も送風流量と基準流量に基づいて補正するものであって、フィードフォワード制御系とフィードバック制御系を単純直列に連結したものではない。
　そして、訂正明細書の請求項２に係る発明は、かかる構成を備えることにより、フィードフォワード制御後の送風中の実湿分が目標値に対し偏差を生じた場合にも、いわばフィードフォワード制御的なＰＩＤ制御の出力補正を行うことができることから、ＰＩＤ制御の応答遅れをも解消することができるという顕著な作用効果を奏するものであって、「更に精度の高い湿分制御が実現できる」ものと認められる。
　
　よって、訂正明細書の請求項２に係る発明は、刊行物１に記載された発明に基づいて、当業者が容易に発明をすることができたとはいえない。
　
（訂正明細書の請求項１に係る発明について）
　また、訂正明細書の請求項１に記載された発明は、訂正明細書の請求項２に係る装置の発明を、方法の発明として表現したものに過ぎないから、訂正明細書の請求項２に係る発明と同様な理由により、刊行物１に記載された発明に基づいて、当業者が容易に発明をすることができたものとはいえない。
　
　したがって、訂正明細書の請求項１、２に係る発明は、特許出願の際独立して特許を受けることができるものである。
　
エ．むすび
　以上のとおりであるから、上記訂正は、特許法第１２０条の４第２項及び同条第３項で準用する同法第１２６条第２〜４項の規定に適合するので、当該訂正を認める。
　
（３）特許異議申立てについて
ア．申立ての理由の概要
　特許異議申立人住友金属工業株式会社は、証拠として、甲第１号証（前記（２）ウ．の刊行物１に同じ。）を提出し、本件請求項１〜４に係る発明は、甲第１号証に記載された発明に基づいて、当業者が容易に発明をすることができたものであるから、本件請求項１〜４に係る発明の特許は、特許法第２９条第２項の規定に違反してされたものであり、取り消されるべき旨を主張している。
イ．本件発明
　本件請求項１、２に係る発明は、その特許請求の範囲の請求項１、２に記載された次のとおりのものである。
「【請求項１】　送風管に水分を注入し加湿した空気を熱風炉を介して高炉に供給する設備の高炉送風湿分制御方法において：
　加湿後の目標湿分，加湿前の空気湿分，及び空気の送風量に基づいて、注入する水分量目標値を決定するとともに、加湿後の空気の湿分を検出し、加湿後の目標湿分と検出された加湿後の空気の湿分との差分をＰＩＤ制御装置に入力し、該ＰＩＤ制御装置の出力を検出した送風流量と基準流量に基づき補正し、補正した値と前記注入する水分量目標値とを加算し、加算した値に応じて注入する水分の流量を調整することを特徴とする高炉送風湿分制御方法。
【請求項２】　送風管，及び該送風管に水分を注入する水分注入管を含み、加湿した空気を熱風炉を介して高炉に供給する設備の高炉送風湿分制御装置において：
　前記送風管上の水分注入位置よりも上流側に配置され、加湿前の湿分を検出する、加湿前湿分検出手段；
　前記送風管における流量を検出する送風流量検出手段；
　予め決定された加湿後の目標湿分，前記加湿前湿分検出手段が検出した加湿前の湿分，及び前記送風流量検出手段が検出した送風流量に基づいて、注入する水分量の目標値を決定し出力するフィードフォーワード制御系；
　前記送風管上の水分注入位置よりも下流側に配置され、加湿後の湿分を検出する、加湿後湿分検出手段；
　予め決定された加湿後の目標湿分と加湿後湿分検出手段が検出した加湿後の空気の湿分との差分に応じてＰＩＤ演算を行いその結果を出力するフィードバック制御系；及び
　前記フィードバック制御系の出力を、検出した送風流量と基準流量に基づき補正する送風流量補償手段；を設けるとともに、
　前記フィードフォワード制御系の出力を、送風流量補償手段により補正したフィードバック制御系の出力とを加算して出力する加算器を設け、
　前記加算器の出力を、前記水分注入管における流量を調整する水分流量調整手段に設定出力するようにした、ことを特徴とする高炉送風湿分制御装置。」
　
ウ．判断
　特許異議申立人住友金属工業株式会社の提出した甲第１号証には、前記（２）ウ．の（刊行物記載の発明について）に記載した事項が記載されており、本件請求項１、２に係る発明は、前記（２）ウ．の（対比・判断）と同様な理由により、甲第１号証に記載された発明に基づいて当業者が容易に発明をすることができたものとはいえない。
　
エ．むすび
　以上のとおりであるから、本件請求項１、２に係る発明の特許は、特許異議申立ての理由及び証拠によっては、取り消すことができない。
　また、他に本件請求項１、２に係る発明の特許を取り消すべき理由を発見しない。
　よって、結論のとおり決定する。
【異議決定日】
平成１３年３月８日（２００１．３．８）
【訂正の要旨】
（ａ）特許第２９２７６３３号の特許明細書中の【特許請求の範囲】の【請求項１】、【請求項３】に、
「【請求項１】　送風管に水分を注入し加湿した空気を熱風炉を介して高炉に供給する設備の高炉送風湿分制御方法において：加湿後の目標湿分，加湿前の空気の湿分，及び空気の送風量に基づいて、注入する水分量の目標値を決定し、該目標値に応じて注入する水分の流量を調整する、ことを特徴とする高炉送風湿分制御方法。」、
「【請求項３】　送風管，及び該送風管に水分を注入する水分注入管を含み、加湿した空気を熱風炉を介して高炉に供給する設備の高炉送風湿分制御装置において：前記送風管上の水分注入位置よりも上流側に配置され、加湿前の湿分を検出する、加湿前湿分検出手段；前記送風管における流量を検出する送風流量検出手段；前記水分注入管における流量を調整する水分流量調整手段；及び決定された加湿後の目標湿分，前記加湿前湿分検出手段が検出した加湿前の湿分，及び前記送風流量検出手段が検出した送風流量に基づいて、注入する水分量の目標値を決定し、該目標値に応じて前記水分流量調整手段を制御する、流量制御手段；を設けたことを特徴とする高炉送風湿分制御装置。」
とあるのを、特許請求の範囲の減縮を目的として、削除するとともに、
同【請求項２】、【請求項４】に
「【請求項２】　加湿後の空気の湿分を検出し、加湿後の目標湿分と検出された加湿後の空気の湿分との差分に応じて、注入する水分の流量を補償する、前記請求項１記載の高炉送風湿分制御方法。」、
「【請求項４】前記送風管上の水分注入位置よりも下流側に配置され、加湿後の湿分を検出する、加湿後湿分検出手段；及び、加湿後の目標湿分と加湿後湿分検出手段が検出した加湿後の空気の湿分との差分に応じて、前記水分流量調整手段の制御量を補償する、補償制御手段；を備える、前記請求項３記載の高炉送風湿分制御装置。」
とあるのを、特許請求の範囲の減縮と明りょうでない記載の釈明を目的として、下記１のとおり訂正する。
　記１
「【請求項１】　送風管に水分を注入し加湿した空気を熱風炉を介して高炉に供給する設備の高炉送風湿分制御方法において：
　加湿後の目標湿分，加湿前の空気湿分，及び空気の送風量に基づいて、注入する水分量目標値を決定するとともに、加湿後の空気湿分を検出し、加湿後の目標湿分と検出された加湿後の空気の湿分との差分をＰＩＤ制御装置に入力し、該ＰＩＤ制御装置の出力を検出した送風流量と基準流量に基づき補正し、補正した値と前記注入する水分量目標値とを加算し、加算した値に応じて注入する水分の流量を調整する、ことを特徴とする高炉送風湿分制御方法。」、
「【請求項２】　送風管，及び該送風管に水分を注入する水分注入管を含み、加湿した空気を熱風炉を介して高炉に供給する設備の高炉送風湿分制御装置において：
　前記送風管上の水分注入位置よりも上流側に配置され、加湿前の湿分を検出する、加湿前湿分検出手段；
　前記送風管における流量を検出する送風流量検出手段；
　予め決定された加湿後の目標湿分，前記加湿前湿分検出手段が検出した加湿前の湿分，及び前記送風流量検出手段が検出した送風流量に基づいて、注入する水分量の目標値を決定し出力するフィードフォーワード制御系；
　前記送風管上の水分注入位置よりも下流側に配置され、加湿後の湿分を検出する、加湿後湿分検出手段；
　予め決定された加湿後の目標湿分と加湿後湿分検出手段が検出した加湿後の空気の湿分との差分に応じてＰＩＤ演算を行いその結果を出力するフィードバック制御系；及び
　前記フィードバック制御系の出力を、検出した送風流量と基準流量に基づき補正する送風流量補償手段；を設けるとともに、
　前記フィードフォワード制御系の出力を、送風流量補償手段により補正したフィードバック制御系の出力とを加算して出力する加算器を設け、
　前記加算器の出力を、前記水分注入管における流量を調整する水分流量調整手段に設定出力するようにした、ことを特徴とする高炉送風湿分制御装置。」
（ｂ）特許第２９２７６３３号の特許明細書中の【発明の詳細な説明】の段落【００１０】〜段落【００１３】に
「【００１０】
　【課題を解決するための手段】上記課題を解決するため、本発明では、送風管（１）に水分を注入し加湿した空気を熱風炉（Ｈ１〜Ｈ４）を介して高炉に供給する設備の高炉送風湿分制御方法において：加湿後の目標湿分（ＳＶ），加湿前の空気の湿分（ＰＶ１），及び空気の送風量（ＰＶ３）に基づいて、注入する水分量の目標値（ＳＶ２）を決定し、該目標値に応じて注入する水分の流量を調整する。
　【００１１】また好ましい態様では、更に、加湿後の空気の湿分（ＰＶ２）を検出し、加湿後の目標湿分（ＳＶ）と検出された加湿後の空気の湿分（ＰＶ２）との差分に応じて、注入する水分の流量を補償する。
　【００１２】また本発明では、送風管（１），及び該送風管に水分を注入する水分注入管（２）を含み、加湿した空気を熱風炉（Ｈ１〜Ｈ４）を介して高炉に供給する設備の高炉送風湿分制御装置において：前記送風管上の水分注入位置よりも上流側に配置され、加湿前の湿分を検出する、加湿前湿分検出手段（５）；前記送風管における流量を検出する送風流量検出手段（６）；前記水分注入管における流量を調整する水分流量調整手段（８）；及び決定された加湿後の目標湿分（ＳＶ），前記加湿前湿分検出手段が検出した加湿前の湿分（ＰＶ１），及び前記送風流量検出手段が検出した送風流量（ＰＶ３）に基づいて、注入する水分量の目標値（ＳＶ２）を決定し、該目標値に応じて前記水分流量調整手段を制御する、流量制御手段（１０）；を設ける。
　【００１３】また好ましい態様では、前記送風管上の水分注入位置よりも下流側に配置され、加湿後の湿分を検出する、加湿後湿分検出手段（９）；及び、加湿後の目標湿分（ＳＶ）と加湿後湿分検出手段が検出した加湿後の空気の湿分（ＰＶ２）との差分に応じて、前記水分流量調整手段の制御量（ＭＶ）を補償する、補償制御手段（２０）；を更に備える。」
とあるのを、明りょうでない記載の釈明を目的として、下記２のとおり訂正する。
　記２
「【００１０】
　【課題を解決するための手段】
　（１）上記課題を解決するため、本発明では、送風管（１）に水分を注入し加湿した空気を熱風炉（Ｈ１〜Ｈ４）を介して高炉に供給する設備の高炉送風湿分制御方法において：
　加湿後の目標湿分（ＳＶ），加湿前の空気湿分（ＰＶ１），及び空気の送風量（ＰＶ３）に基づいて、注入する水分量目標値（ＳＶ２）を決定する。
　【００１１】
　更に、加湿後の空気の湿分（ＰＶ２）を検出し、加湿後の目標湿分（ＳＶ）と検出された加湿後の空気の湿分（ＰＶ２）との差分をＰＩＤ制御装置（２３）に入力し、該ＰＩＤ制御装置（２３）の出力を検出した送風流量（ＰＶ３）と基準流量に基づき補正し、補正した値（ＳＶ３）と前記注入する水分量目標値（ＳＶ２）とを加算し、加算した値（ＳＶ４）に応じて、注入する水分の流量を補償する。
　【００１２】
　（２）本発明では、送風管（１），及び該送風管に水分を注入する水分注入管（２）を含み、加湿した空気を熱風炉（Ｈ１〜Ｈ４）を介して高炉に供給する設備の高炉送風湿分制御装置において：
　前記送風管上の水分注入位置よりも上流側に配置され、加湿前の湿分を検出する、加湿前湿分検出手段（５）；前記送風管における流量を検出する送風流量検出手段（６）；及び
　前記水分注入管における流量を調整する水分流量調整手段（８）；
　予めび決定された加湿後の目標湿分（ＳＶ），前記加湿前湿分検出手段が検出した加湿前の湿分（ＰＶ１），及び前記送風流量検出手段が検出した送風流量（ＰＶ３）に基づいて、注入する水分量の目標値（ＳＶ２）を決定し出力するフィードフォワード制御系（１０）；
を備える。
　【００１３】
　本発明の装置は更に、前記送風管上の水分注入位置よりも下流側に配置され、加湿後の湿分を検出する、加湿後湿分検出手段（９）；
　予め加湿後の目標湿分（ＳＶ）と加湿後湿分検出手段が検出した加湿後の空気の湿分（ＰＶ２）との差分に応じてＰＩＤ演算を行いその結果を出力するフィードバック制御系（２０）；及び、
　前記フィードバック制御系の出力を、検出した送風流量と基準流量に基づき補正する送風流量補償手段（２５，２６）；を設けるとともに、
　前記フィードフォワード制御系（１０）の出力（ＳＶ２）を、送風流量補償手段（２５，２６）により補正したフィードバック制御系（２０）の出力（ＳＶ３）とを加算して出力する加算器（３１）；を設け、
　前記加算器（３１）の出力を、前記水分注入管（２）における流量を調整する水分流量調整手段（８）に設定出力するようにした、ことを特徴とする。」
（５４）【発明の名称】
高炉送風湿分制御方法及び装置
（５７）【特許請求の範囲】
　【請求項１】　送風管に水分を注入し加湿した空気を熱風炉を介して高炉に供給する設備の高炉送風湿分制御方法において：
　加湿後の目標湿分，加湿前の空
気湿
量目
するとともに、加湿後の空気湿分を検出し、加湿後の目標湿分と検出された加湿後の空気の湿分との差分をＰＩＤ制御装置に入力し、該ＰＩＤ制御装置の出力を検出した送風流量と基準流量に基づき補正し、補正した値と前記注入する水分量目標値とを加算し、加算した値
　【請求項２】　送風管，及び該送風管に水分を注入する水分注入管を含み、加湿した空気を熱風炉を介して高炉に供給する設備の高炉送風湿分制御装置において：
　前記送風管上の水分注入位置よりも上流側に配置され、加湿前の湿分を検出する、加湿前湿分検出手段；
　前記送風管における流量を検出する送風流量検出手段；
　
予め
出力するフィードフォワード制御系
　
前記送風管上り水分注入位置よりも下流側に配置され、加湿後の湿分を検出する、加湿後湿分検出手段；
　
予め決定された加湿後の目標湿分と加湿後湿分検出手段が検出した加湿後の空気の湿分との差分に応じてＰＩＤ演算を行いその結果を出力するフィードバック制御系；
　
前記フィードバック制御系の出力を、検出した送風流量と基準流量に基づき補正する送風流量補償手段；を設けるとともに、
　
前記フィードフォワード制御系の出力と、送風流量補償手段により補正したフィードバック制御系の出力とを加算して出力する加算器を設け、
　
前記加算器の出力を、前記水分注入管における流量を調整する水分流量調整手段に設定出力するようにした、
【発明の詳細な説明】
　【０００１】
　【産業上の利用分野】
　本発明は高炉に風を供給する設備に関し、特に送風湿分の制御に関する。
　【０００２】
　【従来の技術】
　一般に高炉の設備は、例えば図２に示すように構成されており、高炉の下側の空間は、熱風炉によって加熱された風が送り込まれ、４〜６Ｋｇ／ｃｍ　程度の圧力に維持される。高炉に送り込まれる風（空気）の水分は、高炉内で水成ガス反応を起こし、環元ガスになる。ところが水成ガス反応は吸熱を伴なうので、高炉内の温度を一定に維持するためには、送風空気中の水分の変化をなくする必要がある。
　【０００３】
　送風設備は、一般に、送風本管とそれに接続された蒸気管を備えており、送風本管を通る空気に蒸気管からの蒸気（又は水）を添加し、加湿した空気を熱風炉を介して高炉に送り込むように構成されている。従って送風本管に送り込む蒸気の流量を調整することによって、加湿後の空気の水分量を制御しうる。
　【０００４】
　この種の湿分制御を実施する場合、従来より、例えば特開昭５６−２１４号公報に開示されているように、加湿後の空気の湿分を検出し、検出した湿分と予め定めた目標湿分との偏差に応じて、蒸気管に設置した電磁弁の開度を制御している。即ち、フィードバック制御を実施している。
　【０００５】
　【発明が解決しようとする課題】
　ところで、実際の高炉においては、通常、３又は４基の熱風炉が備わっており、それらの一部分（１基又は２基）を順次選択して操業を実施している。即ち、熱風炉自体の加熱（蓄熱）は大気圧下で内部の燃料を燃焼させることによって行なわれ、加熱と送風とを同時に実施することはできないので、３又は４基の熱風炉のうち、１基又は２基のみを送風する空気の加熱に使用し、残りの熱風炉はそれ自体を加熱状態にして待機し、使用中の熱風炉の温度が低下したら、空気の加熱に使用する熱風炉と待機する熱風炉とを切換えるように操業される。
　【０００６】
　また、待機中の熱風炉の内部は大気圧であるが、熱風が供給される高炉は４〜６Ｋｇ／ｃｍ２の圧力に維持しなければならないので、待機中の熱風炉を送風空気の加熱に使用する前には、充圧を実施し、熱風炉の内部を４〜６Ｋｇ／ｃｍ２の圧力に上げる必要がある。４基の熱風炉を切換えながら使用する場合の切換動作の一例を図３に示すのでそれを参照されたい。
　【０００７】
　ところが、熱風炉の充圧を実施する場合には、それを実施しない時よりも、高炉に供給する送風量を一定に維持するために、送風流量が余分に（通常、１０〜２０％程度）必要になる。また、充圧動作の実施は間欠的であり、切換準備の時だけ充圧が実施されるので、送風本管を通る空気の流量は、熱風炉が充圧中か否かに応じて大きく変化する。
　【０００８】
　上記のように、送風本管を通る空気の流量が変化すると、加湿後の空気の湿分が変化する。しかし従来の制御では、空気流量の変化に対する蒸気流量調整の応答が遅いため、充圧の実施に伴なって、加湿後の空気の湿分が、周期的に変動するのは避けられなかった。この応答遅れによって生じる湿分の変動幅はかなり大きいので、これが高炉の操業に悪影響を及ぼすことは明白である。
　【０００９】
　従って本発明は、高炉の送風湿分制御において、制御系の応答性を改善し、熱風炉に対する充圧の実施に伴なって生じる加湿後空気の湿分変動を抑制することを課題とする。
　【００１０】
　【課題を解決するための手段】
　
（１）
　加湿後の目標湿分（ＳＶ），加湿前の空
気湿
量目
定す
　【００１１】
　更
をＰＩＤ制御装置（２３）に入力し、該ＰＩＤ制御装置（２３）の出力を検出した送風流量（ＰＶ３）と基準流量に基づき補正し、補正した値（ＳＶ３）と前記注入する水分量目標値（ＳＶ２）とを加算し、加算した値（ＳＶ４）
　【００１２】
　（２）本発明は、送風管（１），及び該送風管に水分を注入する水分注入管（２）を含み、加湿した空気を熱風炉（Ｈ１〜Ｈ４）を介して高炉に供給する設備の高炉送風湿分制御装置において：
　前記送風管上の水分注入位置よりも上流側に配置され、加湿前の湿分を検出する、加湿前湿分検出手段（５）；前記送風管における流量を検出する送風流量検出手段（６）；
及び
　前記水分注入管における流量を調整する水分流量調整手段（８）；
　
予め
出力するフィードフォワード制御系
を
備え
　【００１３】
　
本発明の装置は更に
；
　予め決定された加
ＰＩＤ演算を行いその結果を出力するフィードバック制御系（２０）；及び
　前記
フィードバック制御系の出力を、検出した送風流量と基準流量に基づき補正する送風流量補償手段（２５，２６）；を設けるとともに、
　
前記フィードフォワード制御系（１０）の出力（ＳＶ２）と、送風流量補償手段（２５，２６）により補正したフィードバック制御系（２０）の出力（ＳＶ３）とを加算して出力する加算器（３１）；を設け、
　
前記加算器（３１）の出力を、前記水分注入管（２）における流量を調整する水分流量調整手段（８）に設定出力するようにした、ことを特徴とす
　【００１４】
　なお上記括弧内に示した記号は、後述する実施例中の対応する要素の符号を参考までに示したものであるが、本発明の各構成要素は実施例中の具体的な要素のみに限定されるものではない。
　【００１５】
　【作用】
　熱風炉に対する間欠的な充圧の実施に伴なって送風量が変化すると、加湿後の空気の湿分が変化する。従来のフィードバック制御系では、湿分が変化してからその変化が実際に検出されるまでに比較的大きな時間遅れがあるし、その湿分変化の検出に応答して加湿量を修正する制御装置自体の応答遅れもあるので、湿分の変動を抑えることはできない（図５参照）。しかし本発明では、加湿後の目標湿分（ＳＶ），加湿前の空気の湿分（ＰＶ１），及び空気の送風量（ＰＶ３）に基づいて、注入する水分量の目標値（ＳＶ２）を決定するので、充圧の実施に伴なって送風量が変化すると、加湿後の空気の湿分が変化する前に、目標値（ＳＶ２）が自動的に修正され、それによって空気に添加する蒸気（又は水）の流量がすばやく変更されるので、加湿後の空気の湿分を加湿後の目標湿分（ＳＶ）に維持することができる。
　【００１６】
　即ち、［加湿後の湿分−加湿前の湿分］が加湿によって調整される湿分幅であり、［（加湿後の湿分−加湿前の湿分）×送風量］が加湿によって添加される水分量であるので、注入する水分量の目標値（ＳＶ２）を［（ＳＶ−ＰＶ１）×ＰＶ３）］に比例するように決定すれば、実際の加湿後の湿分を目標値（ＳＶ）と一致させうる。
　【００１７】
　また、加湿後の実際の空気の湿分（ＰＶ２）を検出し、加湿後の目標湿分（ＳＶ）と検出された加湿後の空気の湿分（ＰＶ２）との差分に応じて、注入する水分の流量を補償するフィードバック制御を同時に実施することによって、更に精度の高い湿分制御が実現できる。
　【００１８】
　加湿前の空気の湿分（ＰＶ１），加湿後の空気の湿分（ＰＶ２），及び空気の送風量（ＰＶ３）としては、それぞれを直接検出するセンサ（５，９，６）によって検出された値を用いるのが最も実用的であるが、例えば他のパラメータに基づいて計算等により間接的に求めた値を、ＰＶ１，ＰＶ２及びＰＶ３の代用として用いても構わない。
　【００１９】
　【実施例】
　一実施例の高炉主要部の構成を図２に示し、図２の高炉の送風系の構成を図１に示す。図１を参照すると、高炉に空気を送る送風本管１には、脱湿機３，ブロア４，湿分センサ５，流量センサ６，湿分センサ９，及び熱風炉Ｈ１〜Ｈ４が設置されている。熱風炉は４基備わっており、各々の熱風炉の上流側及び下流側にはそれぞれ遮断弁Ａ１〜Ａ４及びＢ１〜Ｂ４が介挿されている。また、蒸気管２が送風本管１と結合されている。蒸気管２には、流量センサ７及び開度が電気的に調整自在な流量調整弁８が設置されている。湿分センサ５及び流量センサ６は、送風本管１と蒸気管２との結合部分よりも上流に配置され、湿分センサ９は下流側に配置されている。
　【００２０】
　送風本管１と蒸気管２との結合部分の下流では、送風本管１の入側に供給された空気と蒸気管２から供給された蒸気とが混合され、加湿された空気になる。従って、湿分センサ５は加湿前の空気の湿分を検出し、湿分センサ９は加湿後の空気の湿分を検出する。ブロア４の駆動により、加湿された空気が、熱風炉を通り、高炉に送風される。
　【００２１】
　この実施例では、４基の熱風炉Ｈ１〜Ｈ４は、図３に示すように、１つずつ順番に選択され、加湿空気の加熱に利用される。選択されていない熱風炉は、燃焼状態になって蓄熱し、待機する。選択中の熱風炉の温度が低下すると、他の熱風炉が選択される。但し、選択される前には、加湿空気の注入により充圧が実施される。
　【００２２】
　高炉に対する送風圧力を一定にするため、熱風炉の充圧の実施に伴なって、送風本管１を通る送風流量は自動的に変更される。熱風炉の充圧は間欠的に実施されるので、送風本管１を通る送風流量は周期的に変化する。従って、特別な湿分制御を実施しない限り、例えば図５に示すように、加湿後空気の湿分が周期的に変動する。この変化を抑制するために、この実施例では、制御装置１００が特別な制御を実施する。制御装置１００は、湿分センサ５が出力する加湿前湿分ＰＶ１，流量センサ６が出力する送風流量ＰＶ３，流量センサ７が出力する蒸気流量ＰＶ４，及び湿分センサ９が出力する加湿後湿分ＰＶ２を入力し、流量調整弁８の開度を制御する。
　【００２３】
　図１に示す制御装置１００の内部の制御系の構成を図４に示す。図４を参照、して制御装置１００の構成及び動作を説明する。なお、制御装置１００に入力される加湿後湿分目標値ＳＶは、オペレータもしくは図示しないプロセスコンピュータによって設定される。フィードフォワード制御系１０は、加湿後湿分目標値ＳＶ，加湿前湿分検出値ＰＶ１，及び送風流量検出値ＰＶ３に基づいて蒸気量目標値ＳＶ２を生成し、フィードバック制御系２０は、加湿後湿分目標値ＳＶ，及び加湿後湿分検出値ＰＶ２に基づいて、蒸気量補償量ＳＶ３を生成する。
　【００２４】
　具体的に説明すると、減算器１１は加湿後湿分目標値ＳＶ−加湿前湿分検出値ＰＶ１を計算し、乗算器１２は減算器１１の出力値と送風流量検出値ＰＶ３との乗算結果を蒸気量目標値ＳＶ２として出力する。即ち、［加湿後の湿分−加湿前の湿分］が加湿によって調整される湿分幅であり、［（加湿後の湿分−加湿前の湿分）×送風量］が加湿によって添加される水分量であるので、注入する水分量の目標値ＳＶ２を［（ＳＶ−ＰＶ１）×ＰＶ３］に比例するように決定することにより、実際の加湿後の湿分を目標値ＳＶと一致させうる。このため、充圧の実施に伴なって送風量が変化すると、加湿後の空気の湿分が変化する前に、目標値ＳＶ２が自動的に修正され、それによって空気に添加する蒸気（又は水）の流量がすばやく変更されるので、加湿後の空気の湿分を加湿後の目標湿分ＳＶに維持することができる。
　【００２５】
　例えば、加湿後湿分目標値ＳＶが３５ｇ／Ｎｍ　、加湿前湿分検出値ＰＶ１が１０ｇ／Ｎｍ　、送風流量検出値ＰＶ３が６０００Ｎｍ　／分である時には、添加する蒸気流量の目標値ＳＶ２は、１５０Ｋｇ／分（９トン／時）になる。
　【００２６】
　また、減算器２１は、加湿後湿分目標値ＳＶ−加湿後湿分検出値ＰＶ２を計算し、その結果をＰＩＤ（比例・積分・微分）制御装置２３に入力する。またこの例では、ＰＩＤ制御装置２３の入力には、むだ時間補償器２４の出力が加算器２２を介して入力される。むだ時間補償器２４は、蒸気量の変化と加湿後湿分の応答との間に存在するむだ時間と遅れを補償するものである。乗算器２６は、ＰＩＤ制御装置２３が出力する値と、送風流量補償器２５が出力する値（ＰＶ３／基準流量）とを乗算し、その結果を蒸気量補償量ＳＶ３として出力する。フィードバック制御系２０の働きにより、加湿後湿分の目標値ＳＶと検出値ＰＶ２との間に偏差がある場合、ＳＶ３によって蒸気量の目標値ＳＶ４が修正されるので、より精度の高い湿分制御が実現できる。なお、オペレータがスイッチＳＷを操作することにより、フィードバック制御系２０が出力する蒸気量補償量ＳＶ３を０にすることもできる。
　【００２７】
　減算器３２は、加算器３１が出力する蒸気量目標値ＳＶ４から蒸気流量検出値ＰＶ４を減算した結果、即ち流量偏差をＰＩＤ制御装置３３に入力する。ＰＩＤ制御装置３３は、入力される流量偏差に応じた制御量ＭＶを生成し、流量調整弁８の開度を制御する。
　【００２８】
　【発明の効果】
　以上の通り本発明では、加湿後の目標湿分（ＳＶ），加湿前の空気の湿分（ＰＶ１），及び空気の送風量（ＰＶ３）に基づいて、注入する水分量の目標値（ＳＶ２）を決定するので、充圧の実施に伴なって送風量が変化すると、加湿後の空気の湿分が変化する前に、目標値（ＳＶ２）が自動的に修正され、それによって空気に添加する蒸気（又は水）の流量がすばやく変更されるので、加湿後の空気の湿分を加湿後の目標湿分（ＳＶ）に維持することができる。
　【００２９】
　また、加湿後の実際の空気の湿分（ＰＶ２）を検出し、加湿後の目標湿分（ＳＶ）と検出された加湿後の空気の湿分（ＰＶ２）との差分に応じて、注入する水分の流量を補償するフィードバック制御を同時に実施することによって、更に精度の高い湿分制御が実現できる。
【図面の簡単な説明】
　【図１】　図２の高炉の送風設備の構成を示すブロック図である。
　【図２】　実施例の高炉設備の主要部を正面から見た状態を示す縦断面図である。
　【図３】　図１の熱風炉の切換時の接続状態変化を示すブロック図である。
　【図４】　図１の制御装置１００の構成を示すブロック図である。
　【図５】　従来の送風流量変化と加湿後湿分変化を示すタイムチャートである。
　【符号の説明】
　１：送風本管　　２：蒸気管　　
　３：脱湿機　　　４：ブロア
　５：湿分センサ　６：流量センサ
　７：流量センサ　８：流量調整弁
　９：湿分センサ　Ｈ１〜Ｈ４：熱風炉
　Ａ１〜Ａ４，Ｂ１〜Ｂ４：遮断弁
　１０：フィードフォワード制御系
　１１：減算器　　　　　　　　　１２：乗算器
　２０：フィードバック制御系
　２１：減算器　　　　　　　　　２２：加算器
　２３：ＰＩＤ制御装置　　　　　２４：むだ時間補償器
　２５：送風流量補償器　　　　　２６：乗算器
　３１：加算器　　　　　　　　　３２：減算器
　３３：ＰＩＤ制御装置　　　　　１００：制御装置
　ＳＶ：加湿後湿分目標値　　　　ＳＶ２：蒸気量目標値
　ＳＶ３：蒸気量補償量　　　　　ＳＶ４：蒸気量の目標値
　ＰＶ１：加湿前湿分検出値　　　ＰＶ２：加湿後湿分検出値
　ＰＶ３：送風流量検出値　　　　ＰＶ４：蒸気流量検出値
　ＳＷ：スイッチ